(57)【特許請求の範囲】
【請求項１】
電気光学パネルと、
前記電気光学パネルと電気的に接続され、一方の面に複数の信号配線及びグランド配線が設けられ、他方の面に放熱配線が設けられた配線基板とを備え、
前記グランド配線は、前記複数の信号配線のうちの一の信号配線よりも幅広に形成されると共に、前記配線基板の縁に沿って延在し、前記複数の信号配線は、それぞれ前記グランド配線に沿って延在しており、
前記放熱配線は、前記複数の信号配線及び前記グランド配線の各々と重なるように設けられており、前記グランド配線とスルーホールを介して電気的に接続されていることを特徴とする電気光学装置。
【請求項２】
前記グランド配線と前記放熱配線とは、複数のスルーホールを介して電気的に接続されていることを特徴とする請求項１に記載の電気光学装置。
【請求項３】
電気光学パネルと、
前記電気光学パネルと電気的に接続され、一方の面に複数の信号配線及びグランド配線が設けられ、他方の面に放熱配線が設けられた配線基板とを備え、
前記グランド配線は、前記配線基板の縁に沿って延在し、前記複数の信号配線は、それぞれ前記グランド配線に沿って延在しており、
前記放熱配線は、前記複数の信号配線及び前記グランド配線の各々と重なるように設けられており、前記グランド配線とスルーホールを介して電気的に接続されていることを特徴とする電気光学装置。
【請求項４】
前記グランド配線と前記放熱配線とは、複数のスルーホールを介して電気的に接続されていることを特徴とする請求項３に記載の電気光学装置。
【請求項５】
前記配線基板は、前記電気光学パネルの１辺に沿って設けられた複数の接続端子と電気的に接続されており、
前記複数の接続端子のうち、前記グランド配線と電気的に接続される接続端子は、他の接続端子よりも幅広に形成されていることを特徴とする請求項１乃至４のいずれか一項に記載の電気光学装置。
【請求項６】
前記スルーホールは、前記配線基板の前記電気光学パネル側において第１割合で形成されていることを特徴とする請求項１乃至５のいずれか一項に記載の電気光学装置。
【請求項７】
前記スルーホールは、前記配線基板の前記電気光学パネル側とは反対側において、前記第１割合より小さい第２割合で形成されていることを特徴とする請求項６に記載の電気光学装置。
【請求項８】
前記放熱配線は、ベタ状に形成されていることを特徴とする請求項１乃至７のいずれか一項に記載の電気光学装置。
【請求項９】
前記電気光学パネルは、画素領域の周囲に位置する周辺領域の少なくとも一部に形成され、少なくとも前記グランド配線と接続された周辺配線を含むことを特徴とする請求項１乃至８のいずれか一項に記載の電気光学装置。
【請求項１０】
請求項１乃至９のいずれか一項に記載の電気光学装置を備えることを特徴とする電子機器。
【発明の詳細な説明】
【技術分野】
【０００１】
本発明は、例えば液晶装置等の電気光学装置、及びこれを備えた、例えば液晶プロジェクタ等の電子機器に関し、特に、電気光学装置の熱を放熱する放熱部材の技術分野に関する。
【背景技術】
【０００２】
この種の電気光学装置では、例えば熱による表示画像の品質の劣化防止が図られる。このため、例えば特許文献１には、表示パネルを収容する金属製のケースの表面にフィンを形成することによって、放熱性を向上する技術が記載されている。
【先行技術文献】
【特許文献】
【０００３】
【特許文献１】特開２００３−１５１０４号公報
【発明の概要】
【発明が解決しようとする課題】
【０００４】
しかしながら、電気光学装置の小型化に伴いケースが小さくなると、仮に、上述の背景技術のようにケース表面にフィンを形成しても、電気光学装置の熱が十分には放散されない可能性があるという技術的問題点がある。
【０００５】
本発明は、例えば上記問題点に鑑みてなされたものであり、熱を効率的に放散することができる電気光学装置、及びこれを備える電子機器を提供することを課題とする。
【課題を解決するための手段】
【０００６】
本発明の電気光学装置は、上記課題を解決するために、電気光学パネルと、前記電気光学パネルと電気的に接続され、一方の面に複数の信号配線及びグランド配線が設けられ、他方の面に放熱配線が設けられた配線基板とを備え、前記グランド配線は、前記複数の信号配線のうちの一の信号配線よりも幅広に形成されると共に、前記配線基板の縁に沿って延在し、前記複数の信号配線は、それぞれ前記グランド配線に沿って延在しており、前記放熱配線は、前記複数の信号配線及び前記グランド配線の各々と重なるように設けられており、前記グランド配線とスルーホールを介して電気的に接続されている。
また、前記グランド配線と前記放熱配線とは、複数のスルーホールを介して電気的に接続されている。
また、電気光学パネルと、前記電気光学パネルと電気的に接続され、一方の面に複数の信号配線及びグランド配線が設けられ、他方の面に放熱配線が設けられた配線基板とを備え、前記グランド配線は、前記配線基板の縁に沿って延在し、前記複数の信号配線は、それぞれ前記グランド配線に沿って延在しており、前記放熱配線は、前記複数の信号配線及び前記グランド配線の各々と重なるように設けられており、前記グランド配線とスルーホールを介して電気的に接続されている。
また、前記グランド配線と前記放熱配線とは、複数のスルーホールを介して電気的に接続されている。
また、前記配線基板は、前記電気光学パネルの１辺に沿って設けられた複数の接続端子と電気的に接続されており、前記複数の接続端子のうち、前記第１グランド配線と電気的に接続される接続端子は、他の接続端子よりも幅広に形成されている。
【０００７】
本発明の電気光学装置によれば、例えば液晶パネル等である電気光学パネルは、例えば電気光学パネル上の画素領域における表示動作等の電気光学動作を行う。ここに、「画素領域」とは、個々の画素の領域を意味するのではなく、複数の画素が平面配列された領域全体を意味し、典型的には、「画像表示領域」或いは「表示領域」に相当する。
【０００８】
例えば多層フレキシブル基板である配線基板は、第１放熱配線を含む第１配線層と、第２放熱配線を含む第２配線層とを有する。第１及び第２放熱配線は、電気光学パネルと電気的に接続されている。第１及び第２放熱配線は、単純には、放熱部材として機能すればよいが、例えばグランド配線や電源配線等の機能を兼ねていてもよい。第１及び第２放熱配線は、例えばポリイミド等の絶縁層間膜に形成されたスルーホールを介して相互に接続されている。ここに「スルーホール」とは、層間絶縁膜に貫通孔が開けられ、その内部に第１配線層又は第２配線層の延在部分で満たされているか、別途、導電性の金属でプラグをされたものを意味し、コンタクトホールと同義である。
【０００９】
配線基板は、典型的には、第１及び第２配線層とは別層から構成された、又は第１及び第２配線層の少なくとも一層から構成された信号配線を含んでいる。信号配線には、例えば画素領域に表示される画像に係る画像信号が入力される。
【００１０】
本願発明者の研究によれば、一般に、電気光学装置は、電気光学パネルを収容する収容ケースを備えており、該収容ケースを金属等の熱伝導率の高い材料で構成することによって、放熱部材として利用している。他方、電気光学装置の小型化に伴い収容ケースが小さくなると、収容ケースの表面積が小さくなり、放熱用のフィン等を設けたとしても電気光学パネルの熱が十分には放散されない可能性があることが判明している。
【００１１】
しかるに本発明では、配線基板が、第１放熱配線を含む第１配線層と第２放熱配線を含む第２配線層とを有し、第１及び第２放熱配線がスルーホールを介して接続されている。このため、収容ケース、並びに第１及び第２放熱配線によって電気光学パネルの熱を放散することができる。
【００１２】
そして、例えば第２放熱配線をベタ状に形成すれば、放熱に係る表面積を増加することができる。更に、スルーホールを配線基板の電動光学パネル側に多く形成すれば、第１及び第２放熱配線間における熱の移動が起こり易くなり、効率的に熱の放散をすることができる。加えて、製造コスト等の増加を抑制することができ、実用上非常に有利である。
【００１３】
本発明の電気光学装置の一態様では、前記配線基板は、前記電気光学パネルと電気的に接続され、前記第１配線層及び前記第２配線層とは別層から構成され、前記電気光学パネルの信号入出力用の信号配線を更に有する。
【００１４】
この態様によれば、配線基板は、第１及び第２配線層とは別層から構成され、電気光学パネルの信号入出力用の信号配線を有している。この態様では特に、第１及び第２放熱配線と信号配線とが別層に配置されているため、第１及び第２放熱配線によって、信号配線のレイアウト等の自由度が低下することを回避することができ、実用上非常に有利である。
【００１５】
本発明の電気光学装置の他の態様では、前記配線基板は、前記第１配線層又は前記第２配線層の少なくも一方から構成され、前記電気光学パネルの信号入出力用の信号配線を更に有する。
【００１６】
この態様によれば、配線基板は、第１及び第２配線層の少なくとも一方から構成され、電気光学パネルの信号入出力用の信号配線を有している。この態様では特に、第１及び第２配線層の少なくとも一方に信号配線が配置されているため、導体層が増加することによって、例えば多層フレキシブル基板等である配線基板の可撓性が低下することを回避することができ、実用上非常に有利である。
【００１７】
本発明の電気光学装置の他の態様では、前記スルーホールは、前記配線基板の前記電気光学パネル側において第１割合で形成されている。
【００１８】
この態様によれば、第１及び第２放熱配線間における熱伝導を向上することができる。ここに「配線基板の電気光学パネル側」とは、配線基板における、その延在する方向についての中央よりも、電気光学パネルに近い側或いは領域を意味し、典型的には、電気光学パネルに近接する領域を意味する。本発明に係る「割合」は、スルーホールの密度（即ち、単位面積あたりの個数）、或いは、単位面積に占めるスルーホールの面積を意味する。「第１割合」は、例えば、第１及び第２放熱配線間において、速やかな熱の移動が可能な割合として設定すればよい。
【００１９】
この態様では、前記スルーホールは、前記配線基板の前記電気光学パネル側とは反対側において、前記第１割合より小さい第２割合で形成されていてよい。
【００２０】
このように構成すれば、第１及び第２放熱配線が、例えばグランド配線等を兼ねる場合に、第１及び第２放熱配線の電位を安定させることができ、実用上非常に有利である。ここに「電気光学パネル側とは反対側」とは、配線基板における、その延在する方向についての中央よりも、電気光学パネルから遠い側或いは領域を意味する。「第２割合」は、例えば、第１及び第２放熱配線を相互に接続することによって、第１及び第２放熱配線の電位が安定する割合として設定すればよい。
【００２１】
本発明の電気光学装置の他の態様では、前記配線基板は、可撓性の基材を有し、前記第1配線層は、前記基材の一方の表面側に形成され、前記第２配線層は、前記基材の他方の表面側に形成される。
【００２２】
この態様によれば、配線基板は、例えばポリイミド等を含んで構成される可撓性の基材を有している。第１配線層は、基材の一方の表面側に形成され、第２配線層は、前記基材の他方の表面側に形成されている。配線基板が可撓性を有する基材を備えて構成されているため、当該電気光学装置を、電子機器等に実装する際に、電子機器における当該電気光学装置の配置の自由度を向上することができ、実用上非常に有利である。
【００２３】
本発明の電気光学装置の他の態様では、前記第２放熱配線は、ベタ状に形成されている。
【００２４】
この態様によれば、より効率的に電気光学パネルの熱を放散することができる。加えて、第２放熱配線がグランド配線を兼ねる場合には、第２放熱配線の電位を安定させることができ、ＥＭＩ（Ｅｌｅｃｔｒｏ−Ｍａｇｎｅｔｉｃ  Ｉｎｔｅｒｆｅｒｅｎｃｅ）ノイズの発生を抑制することができる、実用上非常に有利である。
【００２５】
本発明の電気光学装置の他の態様では、前記電気光学パネルは、画素領域の周囲に位置する周辺領域の少なくとも一部に形成され、少なくとも前記第１放熱配線と接続された周辺配線を含む。
【００２６】
この態様によれば、周辺配線は、画素領域の周囲に位置する周辺領域の少なくとも一部に、例えば画素領域を囲むように「コの字」型に形成され、少なくとも第１放熱配線と接続されている。これにより、画素領域の熱を比較的容易に第１放熱配線に伝えることができ、画素領域の熱を効率良く放散することができる。
【００２７】
尚、周辺配線は、電気光学パネルの表面に形成されてもよいし、内部に形成されてもよい。また、周辺配線が、例えばグランド配線等を兼ねてもよい。
【００２８】
本発明の電気光学装置の他の態様では、前記第１及び第２放熱配線は、所定電位とされる。
【００２９】
この態様によれば、第１及び第２放熱配線の電位変動が、例えば信号配線に入力される信号等に対して、電磁ノイズとして悪影響を及ぼすことを回避することができる。
【００３０】
ここに、本発明に係る「所定電位」とは、例えば画像信号等の信号の内容によらずに少なくとも所定期間ずつ固定された電位を意味する。例えば、接地電位或いはグランド電位の如く、時間軸に対して完全に一定電位に固定された固定電位であってもよい。或いは、共通電位或いは対向電極電位の如く、例えば画像信号に係る奇数フィールド期間で第１の固定電位に固定されると共に偶数フィールド期間で第２の固定電位に固定されるというように、時間軸に対して一定期間ずつ一定電位に固定された固定電位であってもよい。
【００３１】
本発明の電気光学装置の他の態様では、前記第１放熱配線は、前記信号配線より太い。
【００３２】
この態様によれば、第１放熱配線は、その太さが、配線基板上で平面的に見て、例えば１〜２ｍｍであり信号配線よりも太くなるように形成されている。これにより、放熱に係る面積を増加することができる。加えて、比較的容易にしてスルーホールを形成することができ、実用上非常に有利である。尚、第１放熱配線は、配線基板上で平面的に見た場合に太いことに代えて又は加えて、配線基板の深さ方向に太くてもよい。
【００３３】
本発明の電子機器は上記課題を解決するために、上述した本発明の電気光学装置（但し、その各種態様を含む）を備える。
【００３４】
本発明の電子機器によれば、上述した本発明の電気光学装置を備えてなるので、電気光学装置の熱を効率的に放散することができる。このため、高品質な画像を表示可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００３５】
本発明の作用及び他の利得は次に説明する実施するための最良の形態から明らかにさよう。
【図面の簡単な説明】
【００３６】
【図１】第１実施形態に係る液晶装置を対向基板の側からみた平面図である。
【図２】図１のＡ−Ａ´線断面図である。
【図３】第１実施形態に係る液晶パネルの全体構成を示す平面図である。
【図４】図３のＨ−Ｈ´線断面図である。
【図５】第１実施形態に係る液晶パネルの右下隅を拡大して示す拡大平面図である。
【図６】図５のＢ−Ｂ´線断面図である。
【図７】第１実施形態の第１変形例に係る液晶パネルの右下隅を拡大して示す拡大平面図である。
【図８】第１実施形態の第２変形例に係る液晶パネルの右下隅を拡大して示す拡大平面図である。
【図９】第２実施形態に係る液晶装置を対向基板の側からみた平面図である。
【図１０】第２実施形態に係る液晶パネルの右下隅を拡大して示す拡大平面図である。
【図１１】図１０のＣ−Ｃ´線断面図である。
【図１２】第２実施形態の変形例に係る液晶パネルのＣ−Ｃ´線断面図である。
【図１３】第３実施形態に係るフレキシブル基板の断面図である。
【図１４】電気光学装置を適用した電子機器の一例たるプロジェクタの構成を示す平面図である。
【発明を実施するための形態】
【００３７】
以下、本発明の電気光学装置に係る実施形態を図面に基づいて説明する。尚、以下の実施形態では、本発明の電気光学装置の一例として、駆動回路内蔵型のＴＦＴ（Ｔｈｉｎ  Ｆｉｌｍ  Ｔｒａｎｓｉｓｔｏｒ）アクティブマトリックス駆動方式の液晶装置を例に挙げる。
【００３８】
＜第１実施形態＞
本発明の電気光学装置に係る第１実施形態を、図１乃至図６を参照して説明する。尚、以下の図では、各層・各部材を図面上で認識可能な程度の大きさとするため、該各層・各部材ごとに縮尺を異ならしめてある。
【００３９】
先ず、本実施形態に係る液晶装置の全体構成について、図１及び図２を参照して説明する。ここに、図１は、本実施形態に係る液晶装置を対向基板の側からみた平面図であり、図２は、図１のＡ−Ａ´線断面図である。
【００４０】
図１及び図２において、液晶装置１は、液晶パネル１００と、該液晶パネル１００と電気的に接続された信号配線２０１、液晶パネル１００の熱を放散する放熱配線２０２、及びベタ状に形成され液晶パネル１００の熱を放散する放熱配線２０３を含むフレキシブル基板２００とを備えて構成されている。放熱配線２０２と放熱配線２０３とはスルーホール２０４を介して相互に接続されている。ここに、本実施形態に係る「液晶パネル１００」、「フレキシブル基板２００」、「放熱配線２０２」及び「放熱配線２０３」は、夫々、本発明に係る「電気光学パネル」、「配線基板」、「第１放熱配線」及び「第２放熱配線」の一例である。
【００４１】
本実施形態では、放熱配線２０２及び２０３は、グランド配線を兼ねている。即ち、放熱配線２０２及び２０３の電位が、夫々グランド電位とされている。図１に示すように、スルーホール２０４は、フレキシブル基板２００の液晶パネル１００側において、放熱配線２０２及び２０３間で熱が速やかに移動するように、比較的高い個数密度で形成されている。一方、スルーホール２０４は、液晶パネル１００側とは反対側（図１中の下側）において、少なくとも放熱配線２０２及び２０３の電位が安定するように、比較的低い個数密度で形成されている。
【００４２】
次に、液晶パネル１００について、図３及び図４を参照して説明を加える。ここに図３は、ＴＦＴアレイ基板をその上に形成された各構成要素と共に対向基板の側から見た平面図であり、図４は、図３のＨ−Ｈ´線断面図である。
【００４３】
図３及び図４において、本実施形態の液晶パネル１００では、ＴＦＴアレイ基板１０及び対向基板２０が対向配置されている。ＴＦＴアレイ基板１０は、例えば、石英基板、ガラス基板、シリコン基板等の基板からなり、対向基板２０は、例えば、石英基板、ガラス基板等の基板からなる。ＴＦＴアレイ基板１０と対向基板２０との間に液晶層５０が封入されており、ＴＦＴアレイ基板１０と対向基板２０とは、複数の画素が設けられた領域に対応する、本発明に係る「画素領域」の一例としての画像表示領域１０ａの周囲に位置するシール領域に設けられたシール材５２により相互に接着されている。
【００４４】
シール材５２は、両基板を貼り合わせるための、例えば紫外線硬化樹脂や熱硬化樹脂、又は紫外線・熱併用型硬化樹脂等からなり、製造工程においてＴＦＴアレイ基板１０上に塗布された後、紫外線照射、加熱等により硬化させられたものである。シール材５２中には、ＴＦＴアレイ基板１０と対向基板２０との間隔（即ち、ギャップ）を所定値とするためのグラスファイバ或いはガラスビーズ等のギャップ材が散布されている。尚、ギャップ材を、シール材５２に混入されるものに加えて若しくは代えて、画像表示領域１０ａ又は画像表示領域１０ａの周辺に位置する周辺領域に、配置するようにしてもよい。
【００４５】
図３において、シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４６】
周辺領域のうち、シール材５２が配置されたシール領域の外側に位置する領域には、外部回路接続端子１０２がＴＦＴアレイ基板１０の一辺に沿って設けられている。この一辺に沿って、データ線駆動回路１０１より内側にサンプリング回路７が額縁遮光膜５３に覆われるようにして設けられている。走査線駆動回路１０４は、この一辺に隣接する２辺に沿った額縁領域に、額縁遮光膜５３に覆われるようにして設けられている。
【００４７】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。更に、外部回路接続端子１０２と、走査線駆動回路１０４、上下導通端子１０６等とを電気的に接続するための引回配線９０が形成されている。
【００４８】
図４において、ＴＦＴアレイ基板１０上には、駆動素子である画素スイッチング用のＴＦＴや走査線、データ線等の配線が作り込まれた積層構造が形成される。この積層構造の詳細な構成については図４では図示を省略してあるが、この積層構造の上に、ＩＴＯ（Ｉｎｄｉｕｍ  Ｔｉｎ  Ｏｘｉｄｅ）等の透明材料からなる画素電極９ａが、画素毎に所定のパターンで島状に形成されている。
【００４９】
画素電極９ａは、後述する対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００５０】
対向基板２０におけるＴＦＴアレイ基板１０との対向面上に、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えばプロジェクタ用のランプや直視用のバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００５１】
遮光膜２３上に、ＩＴＯ等の透明材料からなる対向電極２１が複数の画素電極９ａと対向して形成されている。遮光膜２３上に、画像表示領域１０ａにおいてカラー表示を行うために、開口領域及び非開口領域の一部を含む領域に、図４には図示しないカラーフィルタが形成されるようにしてもよい。対向基板２０の対向面上における、対向電極２１上には、配向膜２２が形成されている。
【００５２】
液晶層５０を構成する液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置からは画像信号に応じたコントラストをもつ光が出射される。
【００５３】
図４に示すように、ＴＦＴアレイ基板１０の下層側及び対向基板２０の上層側には、防塵基板１２１及び１２２が夫々配置されている。
【００５４】
尚、図３及び図４に示したＴＦＴアレイ基板１０上には、これらの走査線駆動回路１０４、サンプリング回路７等に加えて、複数のデータ線に所定電圧レベルのプリチャージ信号を画像信号に先行して各々供給するプリチャージ回路、製造途中や出荷時の当該液晶装置の品質、欠陥等を検査するための検査回路等を形成してもよい。
【００５５】
次に、フレキシブル基板２００について、図５及び図６を参照して説明を加える。ここに、図５は、図１に示した液晶装置１における液晶パネル１００の右下隅を拡大して示す拡大平面図であり、図６は、図５のＢ−Ｂ´線断面図である。尚、以降の図においては、図３及び図４で示した、液晶パネル１００の詳細な部材については適宜省略し、直接関連のある部材のみを示す。
【００５６】
図５に示すように、信号配線２０１及び放熱配線２０２は、外部回路接続端子１０２に、電気的及び機械的に、夫々接続されている。また、放熱配線２０２の太さは、信号配線２０１の太さより太く、例えば１〜２ｍｍである。このため、比較的容易にして放熱配線２０２及び２０３を相互に接続するスルーホール２０４を形成することができ、実用上非常に有利である。
【００５７】
図６に示すように、信号配線２０１及び放熱配線２０２を含む層は、例えばポリイミド等の層間絶縁膜２１１及び２１２間に配置され、放熱配線２０３を含む層は、層間絶縁膜２１２及び２１３間に配置されている。ここに、本実施形態に係る「信号配線２０１及び放熱配線２０２を含む層」及び「放熱配線２０３を含む層」は、夫々、本発明に係る「第１配線層」及び「第２配線層」の一例である。
【００５８】
図６に示すように、グランド配線を兼ねる放熱配線２０２及び２０３がスルーホール２０４を介して、相互に電気的に接続されることにより、グランド配線の電位を安定させることができ、ＥＭＩノイズの発生を抑制することができる。
【００５９】
尚、図６では、信号配線２０１及び放熱配線２０２が、層間絶縁膜２１１によって覆われているが、信号配線２０１及び放熱配線２０２と外部回路接続端子１０２との接点では、層間絶縁膜２１１が取り除かれ信号配線２０１及び放熱配線２０２が露出している。
【００６０】
本実施形態では特に、図示しない液晶パネル１００を収容する収容ケースと合わせて、信号配線２０１より太く形成された放熱配線２０２、及びベタ状に形成された放熱配線２０３を利用して、液晶パネル１００の熱を放散している。従って、液晶パネル１００を収容する収容ケースのみで液晶パネル１００の熱を放散する場合に比べ、放熱に係る表面積を飛躍的に増加することができ、効率的に液晶パネル１００の熱を放散することができる。
【００６１】
（第１変形例）
次に、第１実施形態に係る液晶装置の第１変形例を、図７を参照して説明する。ここに、図７は、図５と同趣旨の、図１に示した液晶装置１における液晶パネル１００の右下隅を拡大して示す拡大平面図である。
【００６２】
図７に示すように、本変形例では、複数の外部回路接続端子１０２のうち放熱配線２０２が接続される外部回路接続端子１０２ａが、放熱配線２０２の太さに応じて幅広に形成されている。これにより、液晶パネル及び放熱配線２０２間における熱の移動を向上することができ、より効率的に液晶パネル１００の熱を放散することができる。
【００６３】
（第２変形例）
次に、第１実施形態に係る液晶装置の第２変形例を、図８を参照して説明する。ここに、図８は、図５と同趣旨の、図１に示した液晶装置１における液晶パネル１００の右下隅を拡大して示す拡大平面図である。
【００６４】
図８に示すように、本変形例では、フレキシブル基板２００の液晶パネル１００側において、複数のスルーホールに代えて、比較的大きな面積を有するスルーホール２０５が形成されている。尚、スルーホール２０５の面積は、放熱配線２０２及び２０３間において、熱が速やかに移動可能な面積として設定されている。
【００６５】
＜第２実施形態＞
次に、本発明の電気光学装置に係る第２実施形態を、図９乃至図１１を参照して説明する。第２実施形態では、液晶パネル１００の画像表示領域１０ａの周囲に、本発明に係る「周辺配線」の一例としての放熱配線が形成されている以外は、第１実施形態と同様である。よって、第２実施形態について、第１実施形態と重複する説明を省略すると共に、図面上における共通箇所には同一符号を付して示し、基本的に異なる点についてのみ、図９乃至図１１を参照して説明する。ここに、図９は、図１と同趣旨の、本実施形態に係る液晶装置を対向基板の側からみた平面図であり、図１０は、本実施形態に係る液晶パネルの右下隅を拡大して示す拡大平面図であり、図１１は、図１０のＣ−Ｃ´線断面図である。
【００６６】
図９に示すように、液晶装置２における液晶パネル１００の画像表示領域１０ａの周囲には、放熱配線３００が形成されている。図１０に示すように、フレキシブル基板２００の放熱配線２０２は、放熱配線３００に電気的及び機械的に接続されている。
【００６７】
図１１に示すように、ＴＦＴアレイ基板１０上には３つの導体層が形成されている。即ち、層間絶縁膜４３の上に形成された放熱配線３００を含む層、層間絶縁膜４２の上に形成された配線７１を含む層、及び層間絶縁膜４１の上に形成された配線７２を含む層の３つの導体層がＴＦＴアレイ基板１０上に存在する。放熱配線３００、並びに配線７１及び７２は、例えばアルミニウム等の金属を含んで構成されている。
【００６８】
層間絶縁膜４１、４２及び４３は、例えばＳｉＯ2等の無機絶縁材料から形成されている。このため、例えば、シール材５２を硬化させるために照射される紫外線や、当該液晶装置をライトバルブとして使用する際に照射される強い光によって、層間絶縁膜４１、４２及び４３が劣化することを防止することができる。
【００６９】
本実施形態では特に、画像表示領域１０ａの周囲に放熱配線３００が形成されているので、液晶パネル１００の中で最も高温となることが予想される画像表示領域１０ａの熱を効率的に放散することができる。
【００７０】
尚、放熱配線３００は、図１１に示した層間絶縁膜４３の上に形成されていなくてもよく、配線７１が形成されている層又は配線７２が形成されている層に形成されていてもよい。
【００７１】
（変形例）
次に、第２実施形態に係る液晶装置の変形例を、図１２を参照して説明する。ここに、図１２は、図１１と同趣旨の、図１０のＣ−Ｃ´線断面図である。
【００７２】
図１２に示すように、本変形例では、放熱配線３００は、スルーホール４３ａを介して、例えばグランド配線である配線７１に接続されており、配線７１は、スルーホール４２ａを介して、例えばグランド配線である配線７２に接続されている。これにより、より効率的に液晶パネル１００の熱を放散することができる。
【００７３】
＜第３実施形態＞
次に、本発明の電気光学装置に係る第３実施形態を、図１３を参照して説明する。第３実施形態では、フレキシブル基板の層構造が異なる以外は、第１実施形態と同様である。よって、第３実施形態について、第１実施形態と重複する説明を省略すると共に、図面上における共通箇所には同一符号を付して示し、基本的に異なる点についてのみ、図１３を参照して説明する。ここに、図１３は、図６と同趣旨の、本実施形態に係るフレキシブル基板のＢ−Ｂ´線断面図である。
【００７４】
図１３に示すように、本実施形態に係るフレキシブル基板２００は、３つの導体層を備えて構成されている。即ち、フレキシブル基板２００は、信号配線２０１及び放熱配線２０２を含む層、放熱配線２０３を含む層、並びに放熱配線２２１を含む層を備えて構成されている。尚、本実施形態に係る「放熱配線２０３」、「放熱配線２２１」、「放熱配線２０３を含む層」及び「放熱配線２２１を含む層」は、夫々、本発明に係る「第１放熱配線」、「第２放熱配線」、「第１配線層」及び「第２配線層」の他の例である。
【００７５】
放熱配線２０２は、層間絶縁膜２１２に形成されたスルーホール２０４を介して放熱配線２０３に接続されており、放熱配線２０３は、層間絶縁膜２１３に形成されたスルーホール２２２を介して放熱配線２２１に接続されている。放熱配線２２１の上層側には、保護膜としての層間絶縁膜２１４が配置されている。
【００７６】
＜電子機器＞
次に、図１４を参照しながら、上述した液晶装置を電子機器の一例であるプロジェクタに適用した場合を説明する。上述した液晶装置における液晶パネル１００は、プロジェクタのライトバルブとして用いられている。図１４は、プロジェクタの構成例を示す平面図である。
【００７７】
図１４に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００７８】
液晶パネル１１１０Ｒ、１１１０Ｂおよび１１１０Ｇの構成は、上述した液晶装置と同等の構成を有しており、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００７９】
ここで、各液晶パネル１１１０Ｒ、１１１０Ｂおよび１１１０Ｇによる表示像について着目すると、液晶パネル１１１０Ｒ、１１１０Ｂによる表示像は、液晶パネル１１１０Ｇによる表示像に対して左右反転することが必要となる。
【００８０】
尚、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００８１】
尚、図１４を参照して説明した電子機器の他にも、モバイル型のパーソナルコンピュータや、携帯電話、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００８２】
尚、本発明は、上述した実施形態に限られるものではなく、請求の範囲及び明細書全体から読み取れる発明の要旨、或いは思想に反しない範囲で適宜変更可能であり、そのような変更を伴う電気光学装置、及び該電気光学装置を具備してなる電子機器もまた、本発明の技術的範囲に含まれるものである。
【符号の説明】
【００８３】
１，２…液晶装置、１０…ＴＦＴアレイ基板、２０…対向基板、１００…液晶パネル、１２１、１２２…防塵基板、２００…フレキシブル基板、２０１…信号配線、２０２、２０３、２２１、３００…放熱配線、２０４、２０５、２２２…スルーホール。
【図１】
0005500217.tif 000002
【図２】
0005500217.tif 000003
【図３】
0005500217.tif 000004
【図４】
0005500217.tif 000005
【図５】
0005500217.tif 000006
【図６】
0005500217.tif 000007
【図７】
0005500217.tif 000008
【図８】
0005500217.tif 000009
【図９】
0005500217.tif 000010
【図１０】
0005500217.tif 000011
【図１１】
0005500217.tif 000012
【図１２】
0005500217.tif 000013
【図１３】
0005500217.tif 000014
【図１４】
0005500217.tif 000015